(57)【要約】【課題】繰り返し洗濯しても、洗濯後のゴワゴワ感、硬い感じ、厚さが薄くなったような感じを感じることの少ない、タオル地の提供【解決手段】縦糸（２）及び横糸（３）からなる地織り（５）を有し、地織り（５）から、縦糸又は横糸を用いてタオル地の表面又は裏面に複数のループ（７，９）を互いに隣接する形で形成したタオル地（１）において、あるループと当該あるループに隣接するループにおいて、あるループに隣接する少なくとも一つのループの形成高さ（Ｌ１，Ｌ２）を、当該あるループと異なる形に設定する。【選択図】  図１
2008079912.tif 000002
【特許請求の範囲】
【請求項１】
縦糸及び横糸からなる地織りを有し、
該地織りから、前記縦糸又は横糸を用いてタオル地の表面又は裏面に複数のループを互いに隣接する形で形成したタオル地において、
あるループと当該あるループに隣接するループにおいて、前記あるループに隣接する少なくとも一つのループの形成高さを、当該あるループと異なる形に設定して構成した、タオル地。
【請求項２】
前記ループは、形成高さの高い大ループと、形成高さの低い小ループの２種類からなり、
小ループの形成高さは、大ループの形成高さの約１／２である、請求項１記載のタオル地。
【請求項３】
前記ループは、形成高さの高い大ループと、形成高さの低い小ループの２種類からなり、
前記大ループの前記地織りに対する形成ピッチと、前記小ループの前記地織りに対する形成ピッチは異なることを特徴とする、請求項１記載のタオル地。
【発明の詳細な説明】
【技術分野】
【０００１】
本発明は、洗濯を繰り返してもゴワゴワ感や硬さを感じる程度が少ないタオル地に関する。
【０００２】
【背景技術】
【０００３】
従来、タオルを構成するタオル地のループ状に形成されたパイルは、その長さが一定に形成されたものが殆どであり、中には、タオル地の表裏で、そのパイル長を変化させたものが知られている（例えば、特許文献１）。
【０００４】
【特許文献１】特開２００４−２６１３６５号公報
【０００５】
【発明の開示】
【発明が解決しようとする課題】
【０００６】
従来のタオル地は、洗濯の際に、繊維同士のこすり合いや繊維の引っ張り合い、更には、乾燥及び湿潤の繰り返し等により、繊維のキューティクルの損傷及び破壊、繊維に付着していた油脂などの保護成分の漏出、繊維の剛性・弾力性の低下が生じる。
【０００７】
この繊維のキューティクルの損傷及び破壊は、パイルのループのよじれ、繊維の脱落、即ち毛羽の発生、更には、発生したよじれに毛羽が巻き込まれるなどにより生じ、洗濯後のタオルのゴワゴワ感、硬い感じ、厚さが薄くなったような感じに繋がっている。
【０００８】
本発明は、上記した事情に鑑み、繰り返し洗濯しても、洗濯後のゴワゴワ感、硬い感じ、厚さが薄くなったような感じを感じることの少ない、タオル地を提供することを目的とするものである。
【課題を解決するための手段】
【０００９】
請求項１の発明は、縦糸（２）及び横糸（３）からなる地織り（５）を有し、
該地織り（５）から、前記縦糸又は横糸を用いてタオル地の表面又は裏面に複数のループ（７，９）を互いに隣接する形で形成したタオル地（１）において、
あるループと当該あるループに隣接するループにおいて、前記あるループに隣接する少なくとも一つのループの形成高さ（Ｌ１，Ｌ２）を、当該あるループと異なる形に設定して構成される。
【００１０】
請求項２の発明は、前記ループは、形成高さの高い大ループ（９）と、形成高さの低い小ループ（７）の２種類からなり、
小ループの形成高さは、大ループの形成高さの約１／２で構成される。
【００１１】
請求項３の発明は、前記ループは、形成高さの高い大ループと、形成高さの低い小ループの２種類からなり、
前記大ループの前記地織り（５）に対する形成ピッチ（Ｐ）と、前記小ループの前記地織りに対する形成ピッチ（Ｐ／２）は異なることを特徴として構成される。
【発明の効果】
【００１２】
本発明により、タオル地の互いに隣接するループの高さが異なるので、高いループの間に低いループが存在することとなり、洗濯時に高いループ同士が互いに接触する頻度及び程度を少なくすることが出来、それに伴う繊維同士のこすり合いや引っ張り合いの発生などの発生を少なくして、繰り返し洗濯しても、洗濯後のゴワゴワ感、硬い感じ、厚さが薄くなったような感じを感じることの少ない、タオル地を提供することができる。
【００１３】
また、大ループの地織り（５）に対する形成ピッチ（Ｐ）と、小ループの前記地織りに対する形成ピッチ（Ｐ／２）を異なるように構成することにより、小ループと大ループが洗濯時に互いに接触する頻度をより低めることが出来、より効果的である。
【００１４】
なお、括弧内の番号等は、図面における対応する要素を示す便宜的なものであり、従って、本記述は図面上の記載に限定拘束されるものではない。
【発明を実施するための最良の形態】
【００１５】
以下、図面に基づき、本発明の実施例を説明する。
【００１６】
図１は、本発明によるタオル地の１実施例を示すものであり、（ａ）はタオル地の断面図、（ｂ）はその組織図、図２は、図１のタオル地のパイル部分の斜視図、図３は、本発明によるタオル地の別の実施例を示すものであり、（ａ）はタオル地の断面図、（ｂ）はその組織図、図４は、本発明によるタオル地の更に別の実施例を示すものであり、（ａ）はタオル地の断面図、（ｂ）はその組織図、図５は、図３及び図４のタオル地を組み合わせて作ったタオルの一例を示す図で、（ａ）はタオルの表面、（ｂ）はタオルの裏面、（ｃ）及び（ｄ）は、それぞれタオル面の一部分を示す図、図６は、本発明によるタオル地を用いて作成したタオルの１例を示す図で、（ａ）は表面、（ｂ）は裏面を示す図、図７は、本発明によるタオル地の更に別の実施例を示すものであり、（ａ）はタオル地の断面図、（ｂ）はその組織図、（ｃ）はタオル地の斜視図、図８は、本発明によるタオル地の更に別の実施例を示すものであり、（ａ）はタオル地の断面図、（ｂ）はその組織図、（ｃ）はタオル地の斜視図、図９は、洗濯回数による、本発明のタオル地と従来のタオル地を比較したグラフである。
【００１７】
タオルの少なくとも一部分を構成する本発明によるタオル地１は、図１（ａ）に示すように、図中紙面と直角方向に並行に伸延する多数の横糸２（丸で囲んだ数字の１〜３で表示）を有しており、横糸２は、図１（ｂ）のタオル地を織る際の組織図ＦＭに示すように、互いに図中上下方向に隣接する３本の横糸２が１組となって構成されている。横糸２には、４本の縦糸３（丸で囲んだアルファベットａ〜ｄで表示）が組織図ＦＭ上で一組となる形で、編み込まれている。３本の横糸２と４本の縦糸３との織りの状態、即ち組織図ＦＭは、図１（ｂ）で示すように構成されている。なお、図中の縦糸と横糸の関係は、逆に構成しても良い。即ち、後述するパイル１０を、横糸を用いて形成しても良い。
【００１８】
４本の縦糸３の内、２本の縦糸（丸で囲んだアルファベットｂ及びｄ）は、横糸２と共に、平織りとなっており、タオル地１の地織り５部分を構成している。また、４本の縦糸３の内、残りの２本の縦糸（丸で囲んだアルファベットａ及びｃ）は、横糸２と共に、テリー織りとなっており、タオル地１の地織り５部分から図中両側に突出して形成されたループ７，９からなるパイル１０を形成している。
【００１９】
なお、図（ａ）の地織り５の図中左側を便宜上、「表」と称し、図中右側を「裏」と称する。テリー織りを構成する２本の縦糸３、３の内、丸で囲んだａの縦糸３は、タオル地１の表側に、地織り５の厚さの中心ＣＬから高さＬ１なる小ループ７と高さＬ２なる大ループ９を１個置きに上下方向に形成しており、更に、丸で囲んだｃの縦糸３は、タオル地１の裏側に、地織り５の厚さの中心ＣＬから高さＬ１なる小ループ７と高さＬ２なる大ループ９を１個置きに上下方向に形成している。なお、高さＬ１は、高さＬ２のほぼ半分の高さである。これにより、タオル地１は、図２に示すように、地織り５から表裏に異なる高さＬ１，Ｌ２だけ突出して形成されたループ７，９からなるパイル１０を有する形で形成されている。
【００２０】
このように、タオル地１に形成されるパイル１０を、異なる高さＬ１，Ｌ２で形成することにより、当該タオル地１から作られたタオルを洗濯した場合と、従来の均一な高さを有するループからなるタオル地からなるタオルを洗濯した場合の、ループのねじれ、毛羽の発生を洗濯回数を変数として、実験してみた結果、図９に示すような結果となった。
【００２１】
図９（ａ）は、洗濯回数によるループの捩れの程度を、相対的に示したグラフであるが、従来の均一な高さを有するループからなるタオル地のほうが、本発明のタオル地１に比して、全般的に大きな捩れ生じていることが分かる。ループの捩れは、ループ全体の硬さを増大させ、その結果タオル地１のゴワゴワ感、硬さ、薄っぺらさが増すので、この点で、本発明によるタオル地１の方が優れていることが分かる。
【００２２】
また、図９（ｂ）は、洗濯回数による毛羽の発生程度を、相対的に示したグラフであるが、従来の均一な高さを有するループからなるタオル地のほうが、本発明のタオル地１に比して、全般的に大きな毛羽が生じていることが分かる。ループの毛羽が大きくなると、近接する他のループと絡まってループを地織り５に対して固定するので、全体的なゴワゴワ感、硬さ、薄っぺらさが増すので、この点で、本発明によるタオル地１の方が優れていることが分かる。
【００２３】
これらのことは、洗濯に際して、タオル地の互いに隣接するループの高さが異なるので、高いループの間に低いループが存在することとなり、洗濯時に高いループ同士が互いに接触する頻度及び程度が少なくなり、それに伴う繊維同士のこすり合いや引っ張り合いの発生が少なくなるからと考えられる。
【００２４】
図３に、本発明によるタオル地１の他の実施例を示すが、図１において既に説明した部分は、同一の符号を付して当該部分の説明を省略する。図３（ａ）の場合、縦糸３の内、パイル１０を構成する２本の縦糸ａ，ｃの各ループ７，９は、タオル地１の裏側にのみ突出している。図３（ｂ）にその組織図ＦＭを示す。同様に、図４（ａ）に、図３とは逆に、縦糸３の内、パイル１０を構成する２本の縦糸ａ，ｃの各ループ７，９が、タオル地１の表側にのみ突出している例を示す。図４（ｂ）にその組織図ＦＭを示す。
【００２５】
こうした、タオル地１のパイル１０の各ループ７，９の形成態様は全くの任意であることから、図３及び図４に示したタオル地１を組み合わせて、図５に示すタオル１１を形成することも可能である。図５のタオル１１は、（ａ）がタオル１１の表面であり、（ｂ）がタオル１１の裏面である。図５（ａ）のａ−ｅ−ｉ−ｈ及びｉ−ｆ−ｃ−ｇで囲まれた領域Ａは、図４に示すタオル地１で形成され、タオル１１の表面側にパイル１０の高いループ９と低いループ７が形成されている。また、図５（ｂ）のｅ−ｂ−ｆ−ｉ及びｈ−ｉ−ｇ−ｄで囲まれた領域Ｂは、図３に示すタオル地１で形成され、タオル１１の裏面側にパイル１０の高いループ９と低いループ７が形成されている。このように、複数の任意のタオル地１を組み合わせて所望のデザインを有するタオル１１を製造することが出来る。
【００２６】
図６も同様であり、図３及び図４に示したタオル地１を用いて、花柄ＣＡのタオル１１を形成した例である。図６（ａ）は表面であり、図６（ｂ）は裏面である。タオル１１の花柄ＣＡ以外の部分であるグランドＧＬは、図３に示したタオル地１であり、タオル地１の裏側に高さの異なるループ７，９が出ている。花柄ＣＡ部分は、図４に示したタオル地１であり、タオル地１の表側に高さの異なるループ７，９が出ている。
【００２７】
更に、本発明によるタオル地１としては、図７（ａ）に示すように、縦糸３の内、パイル１０を構成する２本の縦糸ａ，ｃの、縦糸ａで大ループ９のみを形成し、縦糸ｃで小ループ７を形成するようにすることも可能である。この際の組織図ＦＭを、図７（ｂ）に示す。この場合、タオル地１は、図７（ｃ）に示すように、大ループ９からなる長パイルと、小ループ７からなる短パイルが図中左右方向に交互に配列される形となる。
【００２８】
また、本発明によるタオル地１としては、図８（ａ）に示すように、縦糸３の内、パイル１０を構成する２本の縦糸ａ，ｃの、縦糸ａの大ループ９の地織り５に対する形成ピッチＰを、縦糸ｃの小ループ７の地織り５に対する形成ピッチＰ／２の２倍（２倍以上でも可）に設定して構成することも可能である。この際の組織図を、図８（ｂ）に示す。この場合、タオル地１は、図８（ｃ）に示すように、地織り５に対する形成ピッチの異なる、大きな大ループ９からなる長パイルと、小ループ７からなる短パイルが図中左右方向に交互に配列される形となる。この場合、大ループ９と小ループ７が地織り５部分で接触する部分が大ループ９の形成ピッチＰ毎（又は、大ループ９と小ループ７の形成ピッチの最小公倍数毎）となるので、それだけ大ループ９と小ループ７が接触する面積を少なくすることが出来、洗濯に伴うゴワつき感や硬さの発生を緩和する効果をより多く期待することが出来る。
【００２９】
なお、本発明は、タオル地１の互いに隣接するループを、あるループに隣接するループの内少なくとも一つのループの形成高さＬ１，Ｌ２を、当該あるループと該あるループに隣接するループの間で異なる形に設定する限り、ループの高さは２種類以上何種類でも良い。
【産業上の利用可能性】
【００３０】
本発明は、タオルを製造するためのタオル地として利用することが出来る。
【図面の簡単な説明】
【００３１】
【図１】図１は、本発明によるタオル地の１実施例を示すものであり、（ａ）はタオル地の断面図、（ｂ）はその組織図。
【図２】図２は、図１のタオル地のパイル部分の斜視図。
【図３】図３は、本発明によるタオル地の別の実施例を示すものであり、（ａ）はタオル地の断面図、（ｂ）はその組織図。
【図４】図４は、本発明によるタオル地の更に別の実施例を示すものであり、（ａ）はタオル地の断面図、（ｂ）はその組織図。
【図５】図５は、図３及び図４のタオル地を組み合わせて作ったタオルの一例を示す図で、（ａ）はタオルの表面、（ｂ）はタオルの裏面、（ｃ）及び（ｄ）は、それぞれタオル面の一部分を示す図。
【図６】図６は、本発明によるタオル地を用いて作成したタオルの１例を示す図で、（ａ）は表面、（ｂ）は裏面を示す図。
【図７】図７は、本発明によるタオル地の更に別の実施例を示すものであり、（ａ）はタオル地の断面図、（ｂ）はその組織図、（ｃ）はタオル地の斜視図。
【図８】図８は、本発明によるタオル地の更に別の実施例を示すものであり、（ａ）はタオル地の断面図、（ｂ）はその組織図、（ｃ）はタオル地の斜視図。
【図９】図９は、洗濯回数による、本発明のタオル地と従来のタオル地を比較したグラフ。
【符号の説明】
【００３２】
１……タオル地
２……横糸
３……縦糸
５……地織り
７，９……ループ
【図１】
2008079912.tif 000003
【図２】
2008079912.tif 000004
【図３】
2008079912.tif 000005
【図４】
2008079912.tif 000006
【図５】
2008079912.tif 000007
【図６】
2008079912.tif 000008
【図７】
2008079912.tif 000009
【図８】
2008079912.tif 000010
【図９】
2008079912.tif 000011